(57)【特許請求の範囲】
【請求項１】
モーターに電源からの電力を供給する電力供給線と、
本電子回路を搭載する機器本体に設けられたカバーが開放されると前記電力供給線を遮断し、前記カバーが閉じられると前記電力供給線を前記モーターに接続する電源遮断スイッチと、
前記電力供給線を流れる電流の大きさから、前記カバーの開閉を検知するカバー開閉検知部と、
前記電力供給線において前記電源及び前記モーターの間に設けられて、前記電源からの前記モーターへの電力供給及び非供給を切り換えるスイッチ機構と、ボディダイオードとを有する電力供給制御回路と、
前記カバー開閉検知部による検知結果に応じて、前記電力供給制御回路による前記電力供給及び非供給の切換を制御する制御部と、
前記電力供給制御回路の両端の電圧値を比較する比較部と、を備え、
前記制御部は、前記カバー開閉検知部が前記カバーの開放を検知した場合には、前記電力供給制御回路をモーターに電力を供給しない状態に切換え、この状態で、前記比較部による比較結果が前記電力供給制御回路の両端における前記モーター側の端子から前記電源側の端子への電圧降下を示す場合には、前記カバー開閉検知部による検知結果に拘わらず、前記電力供給制御回路を前記モーターに電力を供給しない状態に維持する電子回路。
【請求項２】
前記比較部は、コンパレーターにより構成されている請求項１に記載の電子回路。
【請求項３】
請求項１又は請求項２に記載の電子回路と、
画像を形成する用紙を搬送する搬送ローラーとを備え、
前記モーターが、前記搬送ローラーを回転させる駆動源とされている画像形成装置。
【請求項４】
表示部を更に備え、
前記制御部は、前記カバー開閉検知部が前記カバーの開放を検知した場合には、前記電力供給制御回路をモーターに電力を供給しない状態に切換え、この状態で、前記比較部による比較結果が前記電力供給制御回路の両端における前記モーター側の端子から前記電源側の端子への電圧降下を示す場合には、前記カバー開閉検知部による検知結果に拘わらず、前記電力供給制御回路を前記モーターに電力を供給しない状態に維持すると共に、前記表示部に前記カバーが開状態であることを示すメッセージを表示させる請求項３に記載の画像形成装置。
【発明の詳細な説明】
【技術分野】
【０００１】
本発明は、電子回路及び画像形成装置に関し、特に、電力供給されていない状態でモーターに起電力が発生した場合の不具合を防止する技術に関する。
【背景技術】
【０００２】
画像形成装置は、モーターから供給される駆動力で搬送ローラーが記録紙を搬送し、画像形成部が当該搬送されてきた記録紙に画像を形成する。この画像形成装置において、記録紙が搬送路に詰まった場合、すなわち、ジャムが発生した場合は、操作者は、本体カバーを開けて内部機構を露出させ、搬送路に詰まった記録紙を取り除く。このとき、本体カバーの開放に伴ってインターロックスイッチがオフとなり、モーターへの電力供給が遮断されると共に、電源遮断検知回路（カバー開閉検知部）が当該電源遮断を検知してＣＰＵ（Central Processing Unit）に出力することで、画像形成装置の各機構の動作を停止さ
せる。
【０００３】
また、今日では、画像形成装置における上記モーターから搬送ローラーへの駆動力の伝達機構には、コスト低減の観点から双方向クラッチを設けずに、ワンウェイクラッチを用いる、或いは、クラッチを設けない機構が用いられることがある。この場合、上記ジャム処理時に、操作者が搬送路に詰まっている記録紙を搬送路から引き抜き、当該記録紙を挟んでいた搬送ローラーが回転し、これに従動してモーターが回転すると、モーターが発電機として動作して逆起電力が発生することがある。
【０００４】
このように、ジャム処理時にモーターに逆起電力が発生し、その逆起電力により電力供給線に電流が流れると、本体カバーの開閉を検知するカバー開閉検知部は本体カバーが閉じられていると誤検知し、この検知結果に基づいて、ＣＰＵが画像形成装置の各機構に通常時の動作を再開させる等の誤動作を引き起こす。その結果、例えば、本体カバーが開いているにも拘わらず、ＣＰＵが、本体カバーは閉じているという誤った表示を表示部に表示させる等が生じ、操作者に違和感を与えてしまう。このような問題を解決する方法としては、例えば、以下の（１）乃至（７）が挙げられる。
【０００５】
（１）カバーの閉鎖を検知するまでにタイムラグ（例えば、数秒程度）を設け、モーターの起電力が発生している時間内はカバーの閉鎖が検知されないようにする。
【０００６】
（２）モーターで発生した起電力を、予め定められたデバイス、例えば、感光体ドラムを除電する光源等により消費させる。
【０００７】
（３）インターロックスイッチと並列にダイオードを設け、モーターで発生した起電力を電源に回生する（下記の特許文献１，２を参照）。
【０００８】
（４）モーターに電源からの電力を供給する電力供給線に、逆流防止用のダイオードを設ける。
【０００９】
（５）モーターに流れる電流を検出する電流検出器を設け、検出した電流の大きさからモーターの異常を検出して対処する（下記の特許文献３を参照）。
【００１０】
（６）モーターで起電力が発生したとき、発生した起電力による起電流を共通電位（アース）に流す（下記の特許文献４を参照）。
【００１１】
（７）カバーの開閉に連動するインターロックスイッチを３極にし、カバーの開放時に、この３極のインターロックスイッチを使ってモーターの両端を短絡状態にする（下記の特許文献５を参照）。
【先行技術文献】
【特許文献】
【００１２】
【特許文献１】特開２００８−１６４９９９号公報
【特許文献２】特開２０１０−０２８９７２号公報
【特許文献３】特開平７−１２３５８３号公報
【特許文献４】特開２００８−１９９７０７号公報
【特許文献５】特開２０１０−２３１０３６号公報
【発明の概要】
【発明が解決しようとする課題】
【００１３】
しかしながら、上記（１）乃至（７）は、それぞれに以下のような問題を有している。
【００１４】
（１）では、カバーが実際に閉じられた場合にも、しばらくはカバーが開いているものとして扱うので、例えば、実際はカバーが閉じているにも拘わらず、「カバー開」が表示部に表示される等の制御が行われる場合があり、操作者に違和感を与えてしまう。
【００１５】
（２）では、モーターで発生した電力よりも消費する電力の方が大きい場合に有効となるが、発生電力を上回る消費電力回路が必ずしも存在するとは限らない。例えば、用紙の引き抜き方によっては、大きな電力が発生する場合があり、その場合には対処できない。
【００１６】
（３）の場合、比較的大きな電流を流せるダイオードが必要になる。大きな電流を流せるダイオードは安価ではないので、コストアップに繋がる。
【００１７】
（４）の場合も、上記（３）と同様の理由によりコストアップを招く。また、カバーが閉じた通常の使用状態でも電力を消費することになるので、無駄があるとともに、消費電力による発熱の問題が新たに生じる。
【００１８】
（５）の場合、電流検出器として使用する抵抗は安価ではなく、コストアップに繋がる。
【００１９】
（６）の場合、発生した起電力による起電流を共通電位に流すには、切り替え回路が必要になる。切り替え回路は比較的大きな電流に対応できなければならず、高価なものになりコストアップを招く。
【００２０】
（７）の場合、３極のインターロックスイッチは高価であり、コストアップに繋がる、という問題がある。
【００２１】
本発明は、上記の事情に鑑みなされたものであり、電力供給されていない状態でモーターに起電力が発生した場合の不具合を、複雑な構成を要することなくコストアップを極力抑えて防止することを目的とする。
【課題を解決するための手段】
【００２２】
本発明の一局面に係る電子回路は、モーターに電源からの電力を供給する電力供給線と、
本電子回路を搭載する機器本体に設けられたカバーが開放されると前記電力供給線を遮断し、前記カバーが閉じられると前記電力供給線を前記モーターに接続する電源遮断スイッチと、
前記電力供給線を流れる電流の大きさから、前記カバーの開閉を検知するカバー開閉検知部と、
前記電力供給線において前記電源及び前記モーターの間に設けられて、前記電源からの前記モーターへの電力供給及び非供給を切り換えるスイッチ機構と、ボディダイオードとを有する電力供給制御回路と、
前記カバー開閉検知部による検知結果に応じて、前記電力供給制御回路による前記電力供給及び非供給の切換を制御する制御部と、
前記電力供給制御回路の両端の電圧値を比較する比較部と、を備え、
前記制御部は、前記カバー開閉検知部が前記カバーの開放を検知した場合には、前記電力供給制御回路をモーターに電力を供給しない状態に切換え、この状態で、前記比較部による比較結果が前記電力供給制御回路の両端における前記モーター側の端子から前記電源側の端子への電圧降下を示す場合には、前記カバー開閉検知部による検知結果に拘わらず、前記電力供給制御回路を前記モーターに電力を供給しない状態に維持するものである。
【００２３】
また、本発明の一局面に係る画像形成装置は、上記電子回路と、
画像を形成する用紙を搬送する搬送ローラーとを備え、
前記モーターが、前記搬送ローラーを回転させる駆動源とされている。
【発明の効果】
【００２４】
本発明によれば、電力供給制御回路により前記電源からの電力がモーターに供給されていない状態（カバーが開放された状態）で当該モーターに起電力が発生した場合には、比較部により電力供給制御回路の両端の電圧値が比較され、電圧降下が生じていれば、制御部は、カバー開閉検知部による検知結果に拘わらず、電力供給制御回路を前記モーターに電力を供給しない状態に維持する。
【００２５】
これにより、本発明によれば、機器本体の本体カバーを開けてジャム処理を行っているときにモーターユニットの例えば駆動モーターが逆起電力を発生させても、逆起電力発生による誤制御や誤動作を低減し、正常なインターロック機能を確保することができる。また、比較部には、汎用のコンパレーターを適用可能なので、コストアップを抑えることができる。
【図面の簡単な説明】
【００２６】
【図１】本発明の実施形態に係る電子回路を搭載した画像形成装置の構造を示した模式的な部分断面正面図である。
【図２】画像形成装置の主要内部構成を概略的に示した機能ブロック図である。
【図３】画像形成装置が搭載する電子回路を示した図である。
【発明を実施するための形態】
【００２７】
以下、本発明の一実施形態に係る電子回路及び画像形成装置について図面を参照して説明する。図１は、本発明の実施形態に係る電子回路を搭載した画像形成装置の構造を示した模式的な部分断面正面図である。
【００２８】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５を含んで構成されている。
【００２９】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００３０】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして画像データを生成する。原稿読取部５により生成された画像データは、内臓ＨＤＤ（Hard Disk Drive）、又はネットワーク接続されたコンピューター等に保存される。
【００３１】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録紙としての用紙Ｐにトナー像を形成する。
【００３２】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００３３】
中間転写ベルト１２５は、駆動ローラー１２５ａと従動ローラー１２５ｂとの間に張架され、感光体１２１の周面に当接した状態で駆動ローラー１２５ａによって駆動され、感光体１２１と同期しながら、無端走行する。
【００３４】
次に、カラー印刷が行われる場合について説明する。画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００３５】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００３６】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１は使用されず、ブラック用の感光体１２１だけが使用される。
【００３７】
定着部１３は、熱圧着によりトナー像を用紙Ｐに定着させるものであり、定着処理が施されたカラー画像形成済みの用紙Ｐは、排出トレイ１５１に排出される。
【００３８】
給紙部１４は、複数の給紙カセット、及び各給紙カセットに収容された記録紙をピックアップするためのピックアップローラー１４５を含んで構成され、操作者による指示等で指定されたサイズの記録紙をピックアップするように、対応するピックアップローラー１４５を回転駆動させて、指定された記録紙をニップ部Ｎに向けて搬送するものである。
【００３９】
次に、画像形成装置１の主要内部構成を説明する。図２は、画像形成装置１の主要内部構成を示す機能ブロック図である。
【００４０】
画像形成装置１は、制御ユニット１０、原稿給送部６、原稿読取部５、画像形成部１２、画像メモリー３２、ＨＤＤ９２、定着部１３、電子回路５００（図３），操作部４７、ファクシミリ通信部７１、ネットワークインターフェイス部９１、及びモーターユニット５０を含んで構成されている。なお、図１に示した画像形成装置１と同様の構成部分については同符号を付し、ここではその詳しい説明を省略する。
【００４１】
モーターユニット５０は、モーター５０１と、モーター５０１を駆動する駆動回路（ドライバー）とを含む。モーター５０１は、例えば、搬送ローラー対１９（図１）、その他の画像形成部１２等の各回転部材に回転駆動力を付与する駆動源である。モーター５０１の回転駆動力は図略のギアを介して各回転部材に伝達される。なお、本実施形態では、モーター５０１から上記各回転部材に駆動力を伝達する機構として、ワンウェイクラッチを用いるか、又はクラッチを設けない機構が採用される。
【００４２】
スイッチ機構（電力供給制御回路）５２は、後述する図３に示すＦＥＴ（電界効果トランジスター）５２１と、ボディダイオード５２２とからなり、制御ユニット１０とモーターユニット５０との間に設けられる。スイッチ機構５２は、制御ユニット１０の制御部１００から出力されてくる電圧信号に従って、電源からのモーター５０１への電力供給及び非供給を切り換える。
【００４３】
カバー開閉検知部５３は、画像形成装置１の正面、側面等に配設されている開閉可能な本体カバー（図示せず）の開閉を検知する。カバー開閉検知部５３は、後述する電源５６（図３）からモーターユニット５０への電力の供給又は非供給を切り換えるインターロックスイッチ５７（図３）のオン状態及びオフ状態に応じて本体カバーの開閉を検知する。
【００４４】
比較部５５は、後述するコンパレーター（図３）からなり、スイッチ機構５２を構成するＦＥＴ５２１及びボディダイオード５２２の両端の電圧を比較することによって、スイッチ機構５２に電圧降下が生じているか否かを判断する。以下、コンパレーター５５と表記する。
【００４５】
制御ユニット１０は、ＣＰＵ、ＲＡＭ（Random Access Memory）、ＲＯＭ（Read Only Memory）、及び専用のハードウェア回路を含んで構成され、画像形成装置１の全体的な動作制御を司る制御部１００を備えている。制御部１００は、本体カバーの閉時にオン状態となるインターロックスイッチ５７により、電源５６からモーターユニット５０に電力が供給されると、画像形成装置１の各機構を通常動作させる。
【００４６】
また、画像形成装置１内部で発生したジャムを処理したり、トナーを交換したりする場合、操作者は上記本体カバーを開き、記録紙ジャム部分を露出させるが、その際、本体カバーが開放されるとインターロックスイッチ５７がオフ状態となり、電源５６からモーターユニット５０に電力が非供給となる。このとき、制御部１００は、画像形成装置１の各機構の動作を停止させる。すなわち、画像形成装置１では、本体カバーが開いている状態では、インターロック機能が働く。なお、制御部１００は、本体カバーの開閉状況を表示部４７３に表示させる制御を行う。
【００４７】
図３は、画像形成装置１に搭載される電子回路を示す図である。なお、図２に示した画像形成装置１と同様の構成部分については同符号を付し、ここではその詳しい説明を省略する。
【００４８】
電子回路５００は、電力供給線Ｒ１と、インターロックスイッチ５７と、カバー開閉検知部５３と、スイッチ機構５２と、制御部１００と、コンパレーター５５とを備える。
【００４９】
モーターユニット５０を構成するモーター５０１は、画像を形成する記録紙を搬送する搬送ローラー対１９（図１）へ駆動力を供給する。モーターユニット５０は、電力供給線Ｒ１を介して、電源５６に接続される。インターロックスイッチ５７は、モーターユニット５０と電源５６とを繋ぐ電力供給線Ｒ１の途中に設けられている。インターロックスイッチ５７は、本体カバーの開閉と連動し、本体カバーが開放されるとオフ状態となって電力供給線Ｒ１を遮断し、本体カバーが閉鎖されるとオン状態となって電源５６及びモーターユニット５０間の電力供給線Ｒ１を接続する。なお、インターロックスイッチ５７は、特許請求の範囲における電源遮断スイッチの一例となる。
【００５０】
スイッチ機構５２（図２）を構成するＦＥＴ５２１は、モーター５０１の駆動を制御するスイッチである。すなわち、ＦＥＴ５２１は、電力供給線Ｒ１において電源５６及びモーターユニット５０の間に設けられて、電源５６からのモーター５０１への電力供給及び非供給を切り換える。制御ユニット１０の制御部１００（図２）が、ＦＥＴ５２１のオン（電力供給状態）／オフ（電力非供給状態）を制御する。制御部１００が、ＦＥＴ５２１のゲートＧに対して電圧を印加すると、ドレインＤからソースＳに電流が流れ、ＦＥＴ５２１がオン状態となり、電源５６からのモーター５０１に電力が供給される。スイッチ機構５２には、図３に示すように、更にボディダイオード５２２が備えられている。
【００５１】
カバー開閉検知部５３は、電力供給線Ｒ１に接続され、電力供給線Ｒ１に流れる電流の大きさに基づいてカバーの開閉を検知する。制御ユニット１０とカバー開閉検知部５３とは信号線Ｌ１で接続されている。本体カバーが開放され、インターロックスイッチ５７が開き、電力供給線Ｒ１が遮断されると、電力供給線Ｒ１からカバー開閉検知部５３への入力電圧が減少する。これに対し、本体カバーが閉鎖され、インターロックスイッチ５７が閉じ、電力供給線Ｒ１が確立されると、電力供給線Ｒ１からカバー開閉検知部５３への入力電圧は増大する。カバー開閉検知部５３は、当該入力電圧（電力供給線Ｒ１を流れる電流）が閾値よりも減少したときに本体カバーの開を検知し、それ以外のときは本体カバーの閉を検知する。
【００５２】
カバー開閉検知部５３は、本体カバーの開放を検知すると、信号線Ｌ１を介して制御部１００にカバーの開放を示すHigh信号を出力し、本体カバーの閉鎖を検知すると、信号線Ｌ１を介して制御部１００にカバーの閉鎖を示すLow信号を出力する。制御部１００は、カバー開閉検知部５３からLow信号を受け取ると、ＦＥＴ５２１のゲートＧに対して電圧を印加して、ドレインＤからソースＳに電流を流し、ＦＥＴ５２１をオン状態として、電源５６からモーター５０１に電力を供給させる。一方、制御部１００は、カバー開閉検知部５３からHigh信号を受け取ると、ＦＥＴ５２１のゲートＧに対して電圧を印加せず、ドレインＤからソースＳには電流を流さないようにして、ＦＥＴ５２１をオフ状態とし、電源５６からモーター５０１に電力を供給させない。また、制御部１００は、本カバー開閉検知部５３からHigh信号を受け取ると、本体カバーが開状態であることを示すメッセージを表示部４７３に表示させる。制御部１００は、カバー開閉検知部５３からLow信号を受け取っているときは、本体カバーが閉状態であることを示すメッセージを表示部４７３に表示させる。
【００５３】
コンパレーター５５の非反転入力（＋）端子は、ボディダイオード５２２のアノード側（電力供給線Ｒ１におけるモーターユニット５０側）に接続され、反転入力（−）端子は、ボディダイオード５２２のカソード側（電力供給線Ｒ１における電源５６側）に接続されている。コンパレーター５５の出力端子は、信号線Ｌ１に接続され、コンパレーター５５からの出力が制御部１００に入力される。
【００５４】
コンパレーター５５の出力端子からは、非反転入力端子に入力される電圧が、反転入力端子に入力される電圧よりも高い場合にはHigh信号が出力され、非反転入力端子に入力される電圧が、反転入力端子に入力される電圧よりも高くない場合にはLow信号が出力される。
【００５５】
すなわち、ＦＥＴ５２１が電源５６からの電力をモーター５０１に供給させている状態では、ＦＥＴ５２１の両端に接続されているボディダイオード５２２に電流が流れないため、ボディダイオード５２２のカソード側の電圧はアノード側の電圧よりも低くならず、コンパレーター５５からはLow信号が出力される。
【００５６】
これに対し、ＦＥＴ５２１が電源５６からの電力をモーター５０１に供給させていない状態（カバーが開放され、インターロックスイッチ５７が開いた状態）で、モーター５０１に起電力が発生し、その起電力により電力供給線Ｒ１にモーター５０１からの電流が流れると、ボディダイオード５２２に電流が流れるために、ＦＥＴ５２１のカソード側の電圧がアノード側の電圧よりも低くなって電圧降下が生じ、コンパレーター５５からはHigh信号が出力される。
【００５７】
ここで、制御部１００は、コンパレーター５５からの出力がLow信号であるとき、すなわち、コンパレーター５５による比較結果が上記電圧降下を示していないときは、カバー開閉検知部５３による検知結果に従って、上述したように、カバー開閉検知部５３からのＦＥＴ５２１のオン（電力供給状態）／オフ（電力非供給状態）を制御する。
【００５８】
一方、制御部１００は、コンパレーター５５からの出力がHigh信号であるとき、すなわち、コンパレーター５５による比較結果が上記電圧降下を示すときには、カバー開閉検知部５３による検知結果に拘わらず、ＦＥＴ５２１のゲートＧに対して電圧を印加せずＦＥＴ５２１をオフ状態として、電源５６からの電力がモーター５０１に供給されない状態とする。
【００５９】
例えば、モーター５０１に電源５６からの電力供給がされていない状態（本体カバーが開放され、インターロックスイッチ５７が開いた状態）でモーター５０１に逆起電力が発生し、カバー開閉検知部５３がカバー閉と誤検知した場合には、制御部１００には、カバー開閉検知部５３から制御部１００に入力される信号はLow信号、コンパレーター５５から制御部１００に入力される信号はHigh信号となるが、このとき、制御部１００は、コンパレーター５５からHigh信号を受け取っている限り、本体カバーが開状態であることを示すメッセージを表示部４７３に表示させ、カバー開閉検知部５３からLow信号を受け取っていても、本体カバーが閉状態であることを示すメッセージを表示部４７３に表示させない。
【００６０】
例えば、画像形成装置１における上記モーター５０１から搬送ローラー１９への駆動力の伝達機構には、コスト低減の観点から双方向クラッチを設けずに、ワンウェイクラッチを用いる、或いは、クラッチを設けない機構が用いられることがある。この画像形成装置１において、記録紙Ｐが搬送路に詰まった場合、すなわち、用紙ジャムが発生した場合は、操作者は、本体カバーを開けて内部機構を露出させ、搬送路１９０に詰まった記録紙Ｐを取り除く。このジャム処理時に、操作者が搬送路１９０に詰まっている記録紙Ｐを搬送路１９０から引き抜き、当該記録紙Ｐを挟んでいた搬送ローラー１９０が回転し、これに従動してモーター５０１が回転すると、モーター５０１が発電機として動作して逆起電力が発生することがある。
【００６１】
このように、ジャム処理時にモーター５０１に逆起電力が発生し、その逆起電力により電力供給線Ｒ１に電流が流れると、カバー開閉検知部５３がカバー閉と誤検知するおそれがある。しかしながら、本実施形態によれば、コンパレーター５５からは制御部１００にHigh信号が出力されるため制御部１００は、カバー開閉検知部５３による検知結果に拘わらず、ＦＥＴ５２１をオフ状態として、電源５６からの電力がモーター５０１に供給されない状態とする。
【００６２】
これにより、本実施形態によれば、操作者が画像形成装置１の本体カバーを開けてジャム処理を行っているときに、モーター５０１が逆起電力を発生させても、逆起電力発生による制御部１００の誤制御や、各動作機構の誤動作が低減し、正常なインターロック機能を確保することができる。また、比較部５５には、汎用のコンパレーターを適用可能なので、コストアップを抑えることができる。
【００６３】
このように、従来生じていた問題、例えば、モーター５０１に流れる電流を検出する必要がある、操作者に違和感を与えるタイムラグが生じる、電力を無駄に消費させるデバイスを新たに追加する必要がある、等を引き起こすことなく、本実施形態では、画像形成装置１の本体カバー開閉の誤検知が生じた場合の不具合を防止することができる。なお、ボディダイオード５２２の両端の電圧を比較する回路については、コンパレーター５５でなくても、トランジスターを組み合わせたものなどを代用することもできる。
【００６４】
本発明は上記実施の形態の構成に限られず種々の変形が可能である。また、上記実施形態では、本発明に係る電子回路及び画像形成装置の一実施形態として複合機を用いて説明しているが、これは一例に過ぎず、他の電子機器、例えば、プリンター、コピー機、ファクシミリ装置等の他の画像形成装置でもよい。
【００６５】
また、上記実施形態では、図１乃至図３を用いて上記実施形態により示した構成及び処理は、本発明の一実施形態に過ぎず、本発明を当該構成及び処理に限定する趣旨ではない。
【符号の説明】
【００６６】
１０      制御ユニット
５２      スイッチ機構
５２１    ＦＥＴ
５２２    ボディダイオード
５３      カバー開閉検知部
５５      コンパレーター
５６      電源
５７      インターロックスイッチ
１００    制御部
５０１    モーター
Ｌ１      信号線
Ｒ１      電力供給線
【図１】
0006418082.tif 000002
【図２】
0006418082.tif 000003
【図３】
0006418082.tif 000004